(57)【特許請求の範囲】
【請求項１】
中間周波数信号（I#in、Q#in）の入力部と、キャリア及びコードが復調された信号（Sout）を出力する出力部とを含む、デジタル信号の処理用の拡散スペクトラム受信機のデジタル受信機部（１２６）において、このデジタル受信機部は、
中間周波数信号（I#in、Q#in）が入力部に接続される拡散コード復調部（４０１）、
前記デジタル信号の信号路の前記拡散コード復調部（４０１）の次に配置されるキャリア復調部（５０２）、および
前記信号路の前記キャリア復調部（５０２）の次に配置される処理部（５０３）であって、この処理部（５０３）の出力から前記キャリア及びコードが復調された信号（Sout）が得られる処理部（５０３）を含み、
前記拡散コード復調部（４０１）は、少なくとも２つの異相信号路を含み、この２つの異相信号路は、
a）局所拡散コード複製の手段によって前記デジタル信号のコード復調を行なうコードミキサー（４０４、４０５、４０６）、および
b）前記信号路の前記コードミキサー（４０４、４０５、４０６）の次に配置され、前記デジタル信号の標本化周波数を下げる第１のデシメーション手段（４０７、４０８、４０９）を含み、
前記キャリア復調部（５０２）は、
a）局所キャリア複製の手段によって前記デジタル信号のキャリア復調を行なうキャリアミキサー（５０５）、および
b）前記拡散コード復調部（４０１）の前記第１のデシメーション手段（４０７、４０８、４０９）の出力からの信号を、時間多重化式に前記キャリアミキサー（５０５）に差し向けるマルチプレクサー（５０４）を含むことを特徴とするデジタル受信機部。
【請求項２】
前記デジタル受信機部の前記キャリア復調部（５０２）は更に、前記デジタル信号の前記標本化周波数を下げる第２のデシメーション手段（５０６）を含み、この第２のデシメーション手段（５０６）は前記信号路の前記キャリアミキサー（５０５）と前記処理部（５０３）との間に配置されることを特徴とする請求項１記載のデジタル受信機部。
【請求項３】
拡散スペクトラム信号を受信し、キャリア及びコードが復調された信号（Sout）を発生する拡散スペクトラム受信機であって、
前記受信した拡散スペクトラム信号から所望の周波数成分をフィルタに掛けて、この周波数成分を中間周波数に混合する無線周波数部、および
中間周波数信号（I#in、Q#in）が印加されるデジタル受信機部（１２６）であって、その出力から前記キャリア及びコードが復調された信号（Sout）が得られるデジタル受信機部（１２６）を含む拡散スペクトラム受信機において、前記デジタル受信機部（１２６）が
前記中間周波数信号（I#in、Q#in）が入力部に接続される拡散コード復調部（４０１）、
前記中間周波数信号（I#in、Q#in）の信号路の前記拡散コード復調部（４０１）の次に配置されるキャリア復調部（５０２）、および
前記信号路の前記キャリア復調部（５０２）の次に配置される処理部（５０３）であって、この処理部（５０３）の出力から前記キャリア及びコードが復調された信号（Sout）が得られる処理部（５０３）を含み、
前記拡散コード復調部（４０１）は、少なくとも２つの異相信号路を含み、この２つの異相信号路は、
a）局所拡散コード複製の手段によって前記中間周波数信号（I#in、Q#in）のコード復調を行なうコードミキサー（４０４、４０５、４０６）、および
b）前記信号路の前記コードミキサー（４０４、４０５、４０６）の次に配置され、前記中間周波数信号（I#in、Q#in）の標本化周波数を下げる第１のデシメーション手段（４０７、４０８、４０９）を含み、
前記キャリア復調部（５０２）は、
a）局所キャリア複製の手段によって前記中間周波数信号（I#in、Q#in）のキャリア復調を行なうキャリアミキサー（５０５）、および
b）前記拡散コード復調部（４０１）の前記第１のデシメーション手段（４０７、４０８、４０９）の出力からの信号を、時間多重化式に前記キャリアミキサー（５０５）に差し向けるマルチプレクサー（５０４）を含むことを特徴とする拡散スペクトラム受信機。
【請求項４】
前記デジタル受信機部の前記キャリア復調部（５０２）は更に、前記中間周波数信号（I#in、Q#in）の前記標本化周波数を下げる第２のデシメーション手段（５０６）を含み、この第２のデシメーション手段（５０６）は前記信号路の前記キャリアミキサー（５０５）と前記処理部（５０３）との間に配置されることを特徴とする請求項３記載の拡散スペクトラム受信機。
【請求項５】
前記コードミキサー（４０４、４０５、４０６）は、前記デジタル信号のスペクトラムをデータ変調幅に狭帯域化することを特徴とする請求項１記載のデジタル受信機部。
【請求項６】
前記キャリアミキサー（５０５）は、キャリア周波数及びドップラーシフトを除去することによって前記デジタル信号をベース周波数にシフトさせることを特徴とする請求項１記載のデジタル受信機部。
【請求項７】
前記第１のデシメーション手段（４０７、４０８、４０９）は、低域通過フィルタ及びデシメータを含むことを特徴とする請求項１記載のデジタル受信機部。
【請求項８】
前記拡散コード復調部（４０１）は、
前記局所拡散コード複製を生成するコード生成器（２０７）、
前記コード生成器（２０７）を制御する周波数発生手段（２０５）、および
前記キャリアミキサー（５０５）の出力に基づいて前記周波数発生手段（２０５）を制御するコードトラッキング手段を更に含むことを特徴とする請求項１記載のデジタル受信機部。
【請求項９】
前記キャリア復調部（５０２）は、
前記キャリアミキサー（５０５）に前記局所キャリア複製を発生する周波数発生器（２０３）、および
前記キャリアミキサー（５０５）の出力に基づいて前記周波数発生器（２０３）を制御するキャリアトラッキング手段を更に含むことを特徴とする請求項１記載のデジタル受信機部。
【請求項１０】
前記コードミキサー（４０４、４０５、４０６）は、前記中間周波数信号（I#in、Q#in）のスペクトラムをデータ変調幅に狭帯域化することを特徴とする請求項３記載の拡散スペクトラム受信機。
【請求項１１】
前記キャリアミキサー（５０５）は、キャリア周波数及びドップラーシフトを除去することによって前記中間周波数信号（I#in、Q#in）をベース周波数にシフトさせることを特徴とする請求項３記載の拡散スペクトラム受信機。
【請求項１２】
前記第１のデシメーション手段（４０７、４０８、４０９）は、低域通過フィルタ及びデシメータを含むことを特徴とする請求項３記載の拡散スペクトラム受信機。
【請求項１３】
前記拡散コード復調部（４０１）は、
前記局所拡散コード複製を生成するコード生成器（２０７）、
前記コード生成器（２０７）を制御する周波数発生手段（２０５）、および
前記キャリアミキサー（５０５）の出力に基づいて前記周波数発生手段（２０５）を制御するコードトラッキング手段を更に含むことを特徴とする請求項３記載の拡散スペクトラム受信機。
【請求項１４】
前記キャリア復調部（５０２）は、
前記キャリアミキサー（５０５）に前記局所キャリア複製を発生する周波数発生器（２０３）、および
前記キャリアミキサー（５０５）の出力に基づいて前記周波数発生器（２０３）を制御するキャリアトラッキング手段を更に含むことを特徴とする請求項３記載の拡散スペクトラム受信機。
【請求項１５】
デジタル信号を処理し、キャリア及びコードが復調された信号を出力する拡散スペクトラム受信機のデジタル受信機部であって、
少なくとも２つの異相信号路を含む拡散コード復調器であって、前記異相信号路の両方が、局所拡散コード複製を使用して前記デジタル信号のコード復調を行なうコードミキサーと、前記信号路の前記コードミキサーの次に配置されて前記デジタル信号の標本化周波数を下げるデシメータとを含む前記拡散コード復調器、および
前記信号路の前記拡散コード復調器の次に配置されるキャリア復調器であって、局所キャリア複製を使用して前記デジタル信号のキャリア復調を行なうキャリアミキサーと、前記デシメータの出力からの信号を時間多重化式に前記キャリアミキサーに差し向けるマルチプレクサーとを含む前記キャリア復調器を含むことを特徴とするデジタル受信機部。
【請求項１６】
前記キャリアミキサーは、キャリア周波数及びドップラーシフトを除去することによって前記デジタル信号をベース周波数にシフトさせることを特徴とする請求項１５記載のデジタル受信機部。
【請求項１７】
前記デシメータは、低域通過フィルタ及びデシメーション手段を含むことを特徴とする請求項１６記載のデジタル受信機部。
【請求項１８】
前記拡散コード復調部は、
前記局所拡散コード複製を生成するコード生成器、
前記コード生成器を制御する周波数発生手段、および
前記キャリアミキサーの出力に基づいて前記周波数発生手段を制御するコードトラッキング手段を更に含むことを特徴とする請求項１６記載のデジタル受信機部。
【請求項１９】
前記キャリア復調部は、
前記キャリアミキサーに前記局所キャリア複製を発生する周波数発生器、および
前記キャリアミキサーの出力に基づいて前記周波数発生器を制御するキャリアトラッキング手段を更に含むことを特徴とする請求項１６記載のデジタル受信機部。
【発明の詳細な説明】
【０００１】
【発明の背景】
本発明は、拡散スペクトラム受信機、特に、拡散スペクトラム受信機の段階デシメーションに関するものである。
拡散スペクトラムシステムでは、信号を送信するのに使用されるバンド幅が、送信されるデータに必要とされるよりもかなり広い。信号のスペクトラムは、元のデータとは独立した擬似ランダム拡散コードの手段によって、送信機において拡散される。受信機では、コードの複製、即ち前記拡散コードの同一コピーを使用して信号のスペクトラムを狭帯域化する。拡散スペクトラムシステムは、ダイレクトシーケンス（Direct Sequence）拡散スペクトラムシステムと周波数ホッピング（Frequency Hopping）拡散スペクトラムシステムとにほぼ分けられる。周波数ホッピングシステムでは、利用可能なバンド幅の制限内で擬似ランダム拡散コードに従って伝送周波数を変える。即ち、一つの周波数から別の周波数へホッピングする。ダイレクトシーケンスシステムでは、擬似ランダム拡散コードに従ってキャリアの位相をシフトさせることによって、利用可能なバンド幅にスペクトラムを拡散する。拡散コードビットは、実際のデータビットとは異なるので、通常、チップと呼ばれる。
【０００２】
図１(a)は、ダイレクトシーケンスに基づいた拡散スペクトラムシステムのブロック図である。送信機１０１は、データ変調器１０４、および、送信されたスペクトラムを拡散コードの手段で拡散する拡散コード変調器１０６を含む。受信機１０２は、前記拡散コードと同一の拡散コード複製で作動して受信信号をこの拡散コード複製と相互に関係づける逆拡散変調器１０８を含む。拡散コードが受信機で生成された拡散コード複製と同一であって、かつ、拡散コード複製と受信信号に含まれる拡散コードの位相が揃っているなら、拡散前のデータ変調信号は逆拡散変調器１０８の出力から得られる。同時に、如何なるスプリアス信号も拡散される。逆拡散変調器１０８に続くフィルタ１１０は、データ変調信号を通すが、スプリアス信号の電力の殆どを除去するので、受信信号の信号対雑音を改善する。
【０００３】
図１(b)は、従来の拡散スペクトラム受信機を示す。受信信号SRFを、乗算器１１２及び１１４で、局部発振器１１６により生成された正弦波と余弦波の成分と混合し、低域通過フィルタ１１８及び１２０に掛け、中間周波数I_if（同位相）信号及び中間周波数Q_if（直角位相）信号を生成する。それからI_if信号及びQ_if信号を、A-D変換器１２２及び１２４でアナログからデジタルへ変換し、デジタル受信機部１２６へ印加する。デジタル受信機部１２６で、コード及びキャリアを復調し、その出力をデータ復調器（図示せず）に接続して信号のデータを復調する。
【０００４】
図２(a)と図２(b)は、図１(b)のデジタル受信機部１２６として使用可能な、ダイレクトシーケンス拡散に基づいた拡散スペクトラム受信機のデジタル受信機部の２つの従来技術の実施を示すブロック図である。ブロック図中の２重線はI信号およびQ信号を表す。図２(a)の実施では、入力中間周波数信号Sinに最初に、キャリアミキサー２０２を使用してキャリア及びドップラーシフトを除去する周波数発生器２０３で発生した局所キャリア複製を乗算し、これにコードミキサー２０４で、周波数発生器２０５により制御されるコード生成器２０７により生成された局所拡散コード複製を乗算する。拡散コード複製を乗算することにより、信号のスペクトラムを逆拡散し狭帯域化する。次に、コードミキサー２０４で得た狭帯域信号を低域通過フィルタ２０６に掛けて、ノイズと干渉を除去し、低域通過フィルタ信号の標本化周波数を、デシメータ２０８でデータ変調のスペクトラムに従ってある周波数に下げる。デシメータ２０８で得た信号Soutを、キャリアトラッキング手段２１２及びコードトラッキング手段２１４と、信号のデータを復調するデータ復調器（図示せず）とに印加する。
【０００５】
図２(c)は、中間周波数fIFでの広帯域入力信号Sinのスペクトラムの形を示す。  図２(d)は、キャリアミキサー２０２の出力から得てベース周波数にダウン変換した信号のスペクトラムの形を示す。同様に図２(e)は、コードミキサー２０４の出力から得た狭帯域信号のスペクトラムの形を示す。しかし、図２(c)より  図２(e)は、信号のスペクトラムの形を図示するためだけであって、信号の実際のスペクトラムを示すためではない。
【０００６】
図２(b)の実施例は、図２(a)の実施例に機能的に同一である。図２(b)の実施例では、局所キャリア複製と拡散コード複製をミキサー２１３で組み合わせて、局所信号複製を生成し、ミキサー２１５で入力信号Sinにこの局所信号複製を乗算する。その他の点では、信号処理は図２(a)の実施例に一致する。図２(b)の実施例は、信号路の必要な成分数を最小にするので、特にアナログ成分に基づいたシステムで使用されている。
【０００７】
図２(a)の実施例は、広く使用される。図２(a)の実施例は、図２(b)の実施例より好ましい。その理由は、拡散スペクトラム受信機は通常、拡散コードトラッキングを実施できるために、拡散コード複製を乗算することから始まるいくつかの異相信号路から成らねばならないからである。拡散コードトラッキングは、例えば、図２(f)に示す２つの異相信号路２２２と２２３とから成る相関器構造を使用して実施され得る。異相信号路２２２と２２３で、キャリア変調のない入力信号Scodeを、コード生成器２２４で局所的に生成された早Ce拡散コード複製と遅Cl拡散コード複製とに関係付ける。局所拡散コード複製と信号Scodeに含まれるコードとの位相差に依存する信号を、加算器２２６の出力から得て、この信号を使用して右方向の拡散コード複製の位相を調整する。拡散コードトラッキングは通常、I信号とQ信号に対して別々に実行する、即ち、必要な成分数は図２(f)の構造に比して２倍である。
【０００８】
従来技術の実施例に共通な特徴は、キャリア及び拡散コードを同じ標本化周波数で除去することと、異相信号路を並列に処理することである。
【０００９】
［図面の簡単な説明］
本発明の目的は、拡散スペクトラム受信機の電力消費量を下げるように拡散スペクトラム受信機用デジタル受信機部を提供することにある。また本発明は、そのデジタル受信機部を使用する類似装置の拡散スペクトラム受信機にも関する。本発明の目的は、独立請求項に述べたことを特徴とするデジタル受信機部および拡散スペクトラム受信機で達成される。本発明の好ましい実施例は、従属請求項に開示する。
【００１０】
本発明は、特定の各時間で使用される標本化周波数が可能な限り低いように、受信機の段階デシメーションに基づいている。これによって、高速信号処理のブロック数が最小にできるので、電力消費量が最小になる。
【００１１】
本発明に従って、信号のスペクトラムを狭帯域化するために、中間周波数での信号を最初に拡散コード複製と混合し、コードを復調する。次に、標本化率を下げるデシメーション工程を行なって、続いて信号をキャリア複製と混合しキャリアを除去する工程を行う。より低い標本化周波数は、キャリアを除去する成分の計時を、従来技術の周波数より低い周波数で可能にする、及び／又は、幾つかの信号路に対しキャリア除去の時間多重化を可能にする。キャリア除去の後、信号の標本化周波数がデータ復調に必要とされる標本化周波数よりもまだ高いならば、データ復調の前に、データ変調のバンド幅によって設定された制限内で標本化周波数をさらに下げる（即ち、デシメーションを行う）。
【００１２】
一般には、本発明の解決策は、キャリア及びコードを除去する信号処理を同じ標本化周波数で行う従来技術よりも複雑であるが、最後の実施例は従来技術よりも複雑ではなく、より複雑な成分も必要としない。また本発明の解決策は、時間多重化式に異相信号路のキャリア復調を可能にし、必要とされる成分数を減らせる。
【００１３】
本発明は、デジタル実施に適し、その解決策は特に、デジタル受信機部に入る中間周波数信号の中間周波数、およびデータ復調に必要とされるバンド幅が、拡散コードに必要とされるバンド幅以下である実施に有益である。このことは、無線部により発生した最後の中間周波数が低いデジタルCDMA(Code Division Multiple Access) システムでよく具体化される。
【００１４】
本発明の拡散スペクトラム受信機および拡散スペクトラム受信機のデジタル受信機部の利点は、最適化された電力消費量である。本発明の利点は更に、キャリア復調に使用する成分をより低い周波数で計時できることと、時間多重化が可能であることである。
【００１５】
【発明の詳細な記述】
本発明を、添付図面を参照しながら好ましい実施例によってより詳細に説明しよう。
【００１６】
図３(a)は、図１(b)のデジタル受信機部１２６として使用可能な、本発明の拡散スペクトラム受信機のデジタル受信機部のブロック図である。ブロック図中の２重線はI信号およびQ信号を表す。入力信号Sinに最初に、信号のスペクトラムをデータ変調幅に狭帯域化するコードミキサー２０４を使用して、周波数発生器２０５により制御されるコード生成器２０７により生成された局所拡散コード複製を乗算する。次に、信号を低域通過フィルタ３０４に掛けて、この低域通過フィルタ信号に対してデシメータ３０６でデシメーションを実行する。次に、この得られたより低い標本化周波数の信号に、キャリア周波数及びドップラーシフトを除去することによって信号をベース周波数にシフトさせるキャリアミキサー２０２を使用して周波数発生器２０３で発生した局所キャリア複製を乗算する。キャリアミキサー２０２で得た信号をさらに低域通過フィルタ３０８に掛け、この低域通過フィルタ信号に対してさらにデシメータ３１０で、データ復調に必要とされるバンド幅内にデシメーションを実行してよい。最後に、デシメータ３１０で得た信号Soutを、周波数発生器２０３及び２０５をそれぞれ制御するキャリアトラッキング手段２１２及びコードトラッキング手段２１４と、データ復調器（図示せず）とに印加する。
【００１７】
図３(b)は、図２(c)のスペクトラムの形と同じ、中間周波数fIFでの広帯域入力信号Sinのスペクトラムの形を示す。この段階で、信号の標本化周波数は、例えば、１６MHzのレンジにある。図３(c)は、コードミキサー２０４の出力から得た、中間周波数fIFでの狭帯域信号のスペクトラムの形を示す。この段階で、信号のデシメーションが、例えば、約２５５kHzまで実行される。同様に図３(d)は、ベース周波数にシフトさせてキャリアミキサー２０２の出力から得た狭帯域信号のスペクトラムの形を示す。この段階で、信号の標本化周波数は、例えば、１kHzのレンジにある。図３(b)より図３(d)は、信号のスペクトラムの形を図示するためだけであって、信号の実際のスペクトラムを示すためではない。
【００１８】
図３(a)の構成で、キャリアトラッキング手段２１２及びコードトラッキング手段２１４とに印加する信号を、キャリアミキサー２０２の出力から直接得ることもできる。特に、キャリアミキサー２０２の出力から得た信号のバンド幅がデータ復調に必要とされるバンド幅に一致し、かつ、データ変調を除去する前に信号のデシメーションを更に行えないのなら、低域通過フィルタ３０８及びデシメータ３１０を発明の構成から省くこともできる。信号を、例えば、‘積分＆ダンプ’タイプのフィルタを使用して低域通過フィルタに掛けデシメーションを行うことができる。‘積分＆ダンプ’タイプのフィルタでは、入力信号を所与の時間、積分し、その積分結果を標本化し、積分を始めから再開する。図３(a)は、I信号とQ信号の１組だけの信号路を示すが、拡散コードトラッキングを実施するために、２つの異相信号に対し斯かる信号路を少なくとも２つ必要とする。
【００１９】
図４は、本発明の拡散スペクトラム受信機のデジタル受信機部のより明細なブロック図であり、別々のI成分とQ成分とから成る異相信号に対し３つの信号路から成る。受信機部は、コード復調部４０１、キャリア復調部４０２および処理部４０３に分かれ、順に、ハードウェア及びソフトウェアによってデジタル信号プロセッサーで実行される部分に分けられる。即ち、コード復調部４０１とキャリア復調部４０２はハードウェアで実行され、処理部４０３はソフトウェアで実行される。
【００２０】
コード復調部４０１は、コードトラッキング用局所拡散コード複製の手段によって異相信号のコード変調を除去する３つのコードミキサー４０４、４０５、４０６から成る。しかし、異相信号路の数は３つに制限されず、３つ以下、あるいは３つ以上であってよい。コードミキサー４０４、４０５、４０６の出力をそれぞれデシメーション手段４０７、４０８、４０９に接続する。これは、例えば、‘積分＆ダンプ’タイプのフィルタとして実行され得る。
【００２１】
デシメーション手段４０７、４０８、４０９の出力をそれぞれキャリア復調部４０２のキャリアミキサー４１０、４１１、４１２に接続し、局部発振器により生成された正弦波信号LO_sinと余弦波信号LO_cosによってI信号とQ信号の  複合乗算を実行することによって信号の中間周波数をベース周波数にシフトさせるのに使用する。キャリアミキサー４１０、４１１、４１２の出力をそれぞれ他のデシメーション手段４１３、４１４、４１５に接続する。これは、例えば、‘積分＆ダンプ’タイプのフィルタとして実行され、信号のデシメーションを更に行う。
【００２２】
デシメーション手段４１３及び４１４の出力を処理部４０３のコードトラッキング手段２１４に接続しコードトラッキングを行なう。コードトラッキング手段２１４の出力は、コード復調部４０１の周波数発生器２０５を制御し、周波数発生器２０５は同様にコード生成器２０７を制御し、コード生成器２０７はコードミキサー４０４、４０５、４０６に異相拡散コード複製を生成する。デシメーション手段４１５の出力を、処理部４０３のキャリアトラッキング手段２１２に接続しキャリアトラッキングを行なう。キャリアトラッキング手段２１２の出力は、キャリア復調部４０２の周波数発生器２０３を制御し、周波数発生器２０３はキャリアミキサー４１０、４１１、４１２に正弦波信号LO_sinと余弦波信号LO_cosを発生する。またデシメーション手段４１５の出力からキャリア及びコードが復調された信号Soutが得られる。この信号Soutは更にデータ復調器（図示せず）に印加される。
【００２３】
図５は、本発明の拡散スペクトラム受信機の別のデジタル受信機部のより明細なブロック図であり、別々のI信号とQ信号とから成る異相信号に対し３つの信号路から成る。受信機部は、コード復調部４０１、キャリア復調部５０２および処理部５０３に分かれ、順に、ハードウェア及びソフトウェアによってデジタル信号プロセッサーで実行される部分に分けられる。即ち、例えば、コード復調部４０１とキャリア復調部５０２はハードウェアで実行され、処理部５０３はソフトウェアで実行される。コード復調部４０１は、コードトラッキング用局所拡散コード複製の手段によって異相信号のコード変調を除去する３つのコードミキサー４０４、４０５、４０６から成る。しかし、異相信号路の数は３つに制限されず、３つ以下、あるいは３つ以上であってよい。コードミキサー４０４、４０５、４０６の出力をそれぞれデシメーション手段４０７、４０８、４０９に接続する。デシメーション手段４０７、４０８、４０９は、例えば、‘積分＆ダンプ’タイプのフィルタとして実行され得る。
デシメーション手段４０７、４０８、４０９の出力をキャリア復調部５０２のマルチプレクサー５０４に接続し、異相信号路の時間多重化を実施する。マルチプレクサー５０４の出力をキャリアミキサー５０５に結合し、局部発振器により生成された正弦波信号LO_sinと余弦波信号LO_cosによってI信号とQ信号の複合乗算を実行することによって信号の中間周波数をベース周波数にシフトさせる。
キャリアミキサー５０５の出力を他のデシメーション手段５０６に結合する。デシメーション手段５０６は、例えば、‘積分＆ダンプ’タイプのフィルタとして実行され、信号のデシメーションを更に行う。
【００２４】
デシメーション手段５０６の出力を処理部５０３に結合する。処理部５０３は、ソフトウェアによって信号プロセッサー５０７で実行され、時間多重化信号を処理してコードトラッキングとキャリアトラッキングを行うとともに、デシメーション手段５０６の出力からキャリア及びコードが復調された信号Soutを発生させる。また処理部５０３の出力信号は、コード復調部４０１の周波数発生器２０５を制御し、周波数発生器２０５は同様にコード生成器２０７を制御し、コード生成器２０７はコードミキサー４０４、４０５、４０６に異相拡散コード複製を生成する。処理部５０３の出力信号はまた、キャリア復調部５０２の周波数発生器２０３を制御し、周波数発生器２０３はキャリアミキサー５０５に正弦波信号LO_sinと余弦波信号LO_cosを発生する。信号プロセッサー５０７の出力から得たキャリア及びコードが復調された信号Soutを更にデータ復調器（図示せず）に印加し、信号からデータ変調を除去する。
【００２５】
技術の進歩につれて、本発明の基本的な考えが種々な形態で実施され得ることは明白ある。従って、本発明およびその実施例は上述の例に制限されることなく、特許請求の範囲内で変更できる。
【図面の簡単な説明】
【図１】(a)ダイレクトシーケンスに基づいた拡散スペクトラムシステムのブロック図である。
(b)ダイレクトシーケンスに基づいた従来技術の拡散スペクトラム受信機のブロック図である。
【図２】(a)(b)従来技術の拡散スペクトラム受信機のデジタル受信機部のブロック図である。
(c)〜(e)図２(a)に示すデジタル受信機部の異なる点での信号のスペクトラムの形を示す。
(f)従来技術の相関器構造を示す。
【図３】(a)本発明の拡散スペクトラム受信機のデジタル受信機部のブロック図である。
(b)〜(d)図３(a)に示す本発明のデジタル受信機部の異なる点での信号のスペクトラムの形を示す。
【図４】本発明の拡散スペクトラム受信機のデジタル受信機部のより明細なブロック図である。
【図５】は、本発明の拡散スペクトラム受信機の別のデジタル受信機部のより明細なブロック図である。
【図１】
0005100941.tif 000002
【図２】
0005100941.tif 000003
【図３】
0005100941.tif 000004
【図４】
0005100941.tif 000005
【図５】
0005100941.tif 000006